(57)【要約】【課題】電子機器装置において、導光体の入射端面の垂直方向の傾きによる方位角の影響を受け難くして、赤外線の受光性能を向上する。【解決手段】光ディスク再生装置１は、赤外線を受光する受光素子２４と、受光素子２４に赤外線を導光する導光体２５とを備える。導光体２５は、第１の導光部３１及び第２の導光部３２を有する。第１の導光部３１は、略真っ直ぐに延びる柱状であり、赤外線の入射面とされる入射端面３１ｉの垂直方向が第１の導光部３１の延びる方向に対して傾いている。第２の導光部３２は、第１の導光部３１の周面から第１の導光部３１の入射端面３１ｉの垂直方向の側に突出している。また、第２の導光部３２は、略真っ直ぐに延びる柱状であり、第２の導光部３２の延びる方向が第１の導光部３１の延びる方向に対して平行である。第２の導光部３２が、導光体２５の入射端面３１ｉの垂直方向の傾きによる方位角の影響を補うように作用する。【選択図】図２
2012004972.tif 000002
【特許請求の範囲】
【請求項１】
赤外線を受光する受光素子と、前記受光素子に赤外線を導光する導光体とを備え、前記受光素子による赤外線の受光出力に基いて動作する電子機器装置において、
前記導光体は、第１の導光部及び第２の導光部を有し、
前記第１の導光部は、略真っ直ぐに延びる柱状であり、赤外線の入射面とされる入射端面の垂直方向が該第１の導光部の延びる方向に対して傾いており、
前記第２の導光部は、前記第１の導光部の周面から前記第１の導光部の入射端面の垂直方向の側に突出しており、略真っ直ぐに延びる柱状であり、該第２の導光体の延びる方向が前記第１の導光部の延びる方向に対して平行である、
ことを特徴とする電子機器装置。
【請求項２】
前記第１の導光部は、円柱状であり、
前記第２の導光部は、角柱状であり、
前記第２の導光部の断面積は、前記第１の導光部の断面積よりも小さい、
ことを特徴とする請求項１に記載の電子機器装置。
【請求項３】
前記第２の導光部は、前記第１の導光部の入射端面よりも、前記第１の導光部の赤外線の出射面とされる出射端面に近い位置に設けられている、
ことを特徴とする請求項１に記載の電子機器装置。
【請求項４】
画像を表示するための表示ユニットと、
光ディスクから記録データを読取る光ディスク読取ユニットとをさらに備え、
前記表示ユニットは、前記光ディスク読取ユニットにより光ディスクから読取った記録データに基く画像を表示する、
ことを特徴とする請求項１に記載の電子機器装置。
【発明の詳細な説明】
【技術分野】
【０００１】
本発明は、赤外線信号を受信して動作する電子機器装置に関するものである。
【背景技術】
【０００２】
従来から、電子機器装置において、リモートコントローラから送信された赤外線信号を受信して動作するものがある。このような電子機器装置としては、リモートコントローラから送信された赤外線を導光体によって受光素子に導光し、導光体により導光された赤外線を受光素子によって受光するようにしたものが知られている（例えば特許文献１乃至特許文献４参照）。
【先行技術文献】
【特許文献】
【０００３】
【特許文献１】特開平１０−２４３４８１号公報
【特許文献２】実開平６−７３３８号公報
【特許文献３】実用新案登録第３１１０４３８号公報
【特許文献４】特開２００８−５３９４８号公報
【発明の概要】
【発明が解決しようとする課題】
【０００４】
ところで、導光体は、一般的に、赤外線の入射面とされる入射端面が本体ケースの前壁の表面に露出するように取付けられる。また、導光体の構造として、屈曲した部分がなく、真っ直ぐに延びている形状が簡単である。従って、導光体は、真っ直ぐに延びている形状が望まれる。このような真っ直ぐに延びている形状の導光体は、リモートコントローラから送信される赤外線を効率よく受光素子に導光するために、導光体の延びている方向を本体ケースの下壁と平行にして本体ケースに取付けられる。
【０００５】
一方、本体ケースは、意匠的な観点から、本体ケースの前壁を傾けたものが好ましい。このような構成では、導光体は、本体ケースの前壁の傾きに合わせて、導光体の入射端面を本体ケースの前壁の表面と連続的な面にするために、入射端面に垂直な方向（入射端面の垂直方向）を導光体の延びている方向に対して傾けたものにする必要がある。
【０００６】
しかしながら、単に、導光体の入射端面の垂直方向を導光体の延びている方向に対して傾けたのでは、方位角の影響を受けて、導光体による赤外線の導光性能が劣化し、受光素子による赤外線の受光性能が劣化する。そこで、導光体の入射端面の垂直方向を導光体の延びている方向に対して傾けた構成において、赤外線の導光性能（受光性能）を向上することが望まれる。
【０００７】
本発明は、上記課題を解決するためになされたものであり、導光体の入射端面の垂直方向の傾きによる方位角の影響を受け難くして、赤外線の受光性能を向上することができる電子機器装置を提供することを目的とする。
【課題を解決するための手段】
【０００８】
上記目的を達成するために請求項１の発明は、赤外線を受光する受光素子と、受光素子に赤外線を導光する導光体とを備え、受光素子による赤外線の受光出力に基いて動作する電子機器装置において、導光体は、第１の導光部及び第２の導光部を有し、第１の導光部は、略真っ直ぐに延びる柱状であり、赤外線の入射面とされる入射端面の垂直方向が該第１の導光部の延びる方向に対して傾いており、第２の導光部は、第１の導光部の周面から第１の導光部の入射端面の垂直方向の側に突出しており、略真っ直ぐに延びる柱状であり、該第２の導光体の延びる方向が第１の導光部の延びる方向に対して平行であるものである。
【０００９】
請求項２の発明は、請求項１に記載の電子機器装置において、第１の導光部は、円柱状であり、第２の導光部は、角柱状であり、第２の導光部の断面積は、第１の導光部の断面積よりも小さいものである。
【００１０】
請求項３の発明は、請求項１に記載の電子機器装置において、第２の導光部は、第１の導光部の入射端面よりも、第１の導光部の赤外線の出射面とされる出射端面に近い位置に設けられているものである。
【００１１】
請求項４の発明は、請求項１に記載の電子機器装置において、画像を表示するための表示ユニットと、光ディスクから記録データを読取る光ディスク読取ユニットとをさらに備え、表示ユニットは、光ディスク読取ユニットにより光ディスクから読取った記録データに基く画像を表示するものである。
【発明の効果】
【００１２】
請求項１乃至請求項３の発明によれば、導光体の第１の導光部から突出する第２の導光部が、導光体の入射端面の垂直方向の傾きによる方位角の影響を補うように作用する。従って、導光体の入射端面の傾きによる方位角の影響を受け難くして、赤外線の受光性能を向上することができる。これにより、本体ケースの前壁を傾けた様々な意匠の本体ケースに適用して、導光体の入射端面を本体ケースの前壁の表面と連続的な面にした構成において、導光体の入射端面の垂直方向の傾きによる方位角の影響を受け難くして、赤外線の受光性能を向上することができる。従って、意匠的な自由度に優れた電子機器装置を実現することができる。
【００１３】
請求項４の発明によれば、光ディスクから読取った記録データに基く画像を表示する電子機器装置において、請求項１乃至請求項３と同様の効果が得られる。
【図面の簡単な説明】
【００１４】
【図１】（ａ）は本発明の一実施形態に係る光ディスク再生装置の概略構成を示すディスクカバーを閉じた状態の斜視図、（ｂ）は同ディスクカバーを開いた状態の斜視図。
【図２】（ａ）は同光ディスク再生装置の導光体の構成を示す部分拡大した一部破断した斜視図、（ｂ）は同断面図。
【発明を実施するための形態】
【００１５】
以下、本発明を具体化した実施形態による電子機器装置について図面を参照して説明する。図１（ａ）（ｂ）は、本実施形態による電子機器装置である光ディスク再生装置の構成を示す。光ディスク再生装置１は、例えばＤＶＤやＢＤ等の光ディスク１０から記録データを読取る装置である。この光ディスク再生装置１は、携帯型のものである。
【００１６】
光ディスク再生装置１は、本体ユニット２と、表示ユニット３と、ヒンジユニット４とを備えており、表示ユニット３がヒンジユニット４を介して本体ユニット２に取付けられ、表示ユニット３が本体ユニット２に対して回動可能になっている。
【００１７】
本体ユニット２は、本体ケース２０と、光ディスク１０が収納されるディスク室２１を開放、閉鎖するためのディスクカバー２２と、光ディスク１０から記録データを読取る光ディスク読取ユニット２３とを有する。また、本体ユニット２は、赤外線を受光する受光素子２４と、受光素子２４に赤外線を導光する導光体２５とを有する。受光素子２４及び導光体２５は、不図示のリモコン（リモートコントローラ）から送信される赤外線（光ディスク再生装置１の動作を指示する信号として送信される赤外線）を受光するためのものである。
【００１８】
ディスクカバー２２は、本体ケース２０に開閉自在に装着されている。ディスクカバー２２を開くことにより、光ディスク１０を収納、取出し可能なようにディスク室２１が開放され、ディスクカバー２２を閉じることにより、ディスク室２１が閉鎖される。
【００１９】
光ディスク読取ユニット２３は、本体ケース２０の内部に収納されており、その一部であるスピンドルモータ２３ａ及び光ヘッド２３ｂがディスク室２１の内部に臨んでいる。光ディスク１０は、スピンドルモータ２３ａに装着されて、ディスク室２１の内部に収納される。光ディスク読取ユニット２３は、スピンドルモータ２３ａにより光ディスク１０を回転させながら、光ヘッド２３ｂにより光ディスク１０に光を投光すると共に光ディスク１０からの反射光を受光して、光ディスク１０から記録データを読取る。
【００２０】
受光素子２４は、本体ケース２０の内部に配置されている。導光体２５は、本体ケース２０の内部に配置されており、赤外線の入射面とされる入射端面３１ｉが本体ケース２０の前壁２０ａの表面に露出している。導光体２５は、入射端面３１ｉから入射した赤外線を受光素子２４に導光し、受光素子２４は、導光体２５により導光された赤外線を受光する。
【００２１】
表示ユニット３は、画像を表示するためのものであり、本体ユニット２の光ディスク読取ユニット２３により光ディスク１０から読取った記録データに基く画像や、メニュー画面等の各種画像を表示する。
【００２２】
ヒンジユニット４は、２軸スイーベルヒンジと呼ばれるヒンジユニットであり、表示ユニット３を本体ユニット２に対して直交２軸に回動可能に連結している。すなわち、表示ユニット３は、本体ユニット２に対して、表示ユニット３の下端部を通って表示ユニット３の下端縁と平行な第１の回動中心軸Ｃ１の軸回りに回動可能になっていると共に、本体ユニット２の後端部の中央を通って本体ユニット２の上面に垂直な第２の回動中心軸Ｃ２の軸回りに回動可能になっている。
【００２３】
光ディスク再生装置１を使用するときには、表示ユニット３は開いた状態（表示ユニット３を本体ユニット２に起立させた状態）にされる。また、光ディスク再生装置１を携帯して持ち運ぶときには、表示ユニット３は閉じた状態（表示ユニット３を本体ユニット２に重なるように倒伏させた状態）にされる。
【００２４】
光ディスク再生装置１は、受光素子２４による赤外線の受光出力に基いて、光ディスク再生装置１の電源のオン／オフや、光ディスク読取ユニット２３による光ディスク１０からの記録データの読取り、表示ユニット３による画像の表示等の各種動作をするようになっている。
【００２５】
図２（ａ）（ｂ）は、導光体２５の構成を示す。導光体２５は、赤外線を透過させる部材によって中実に形成されたものであり、第１の導光部３１及び第２の導光部３２を有する。第１の導光部３１と第２の導光部３２とは、連続した一体のものであり、第１の導光部３１と第２の導光部３２との間には、光の反射や屈折を生じる界面は存在していない。また、導光体２５は、本体ケース２０に取付けるための取付部３３を有する。取付部３３は、第１の導光部３１及び第２の導光部３２と一体的に形成されている。
【００２６】
第１の導光部３１は、略真っ直ぐに延びる柱状に形成されている。第１の導光部３１は、円柱状に形成されており、入射端面３１ｉと、出射端面３１ｏと、周面３１ｒとを有する。入射端面３１ｉは、赤外線の入射面として使用される面であり、出射端面３１ｏは、赤外線の出射面として使用される面である。周面３１ｒは、入射端面３１ｉから出射端面３１ｏに続く面であり、第１の導光部３１内で赤外線を反射させるための面である。
【００２７】
入射端面３１ｉは、平面状に形成されており、入射端面３１ｉに垂直な方向（入射端面３１ｉの垂直方向）は、第１の導光部３１の延びる方向に対して傾いている。出射端面３１ｏは、入射端面３１ｉ側に凹んだ曲面状に形成されており、出射端面３１ｏの中心における垂直方向は、第１の導光部３１の延びる方向に対して平行になっている。また、第１の導光部３１は、途中から太さが変わっている。第１の導光部３１は、入射端面３１ｉから出射端面３１ｏに向かう途中の部分まで、太さが一定であり、途中の部分から出射端面３１ｏに向かうにつれて、太さが徐々に細くなっている。
【００２８】
第２の導光部３２は、第１の導光部３１の周面３１ｒから突出しており、略真っ直ぐに延びる柱状に形成されている。第２の導光部３２は、第１の導光部３１の周面３１ｒから、第１の導光部３１の入射端面３１ｉの垂直方向の側に突出しており、第１の導光部３１の延びる方向に対して平行に延びている。第２の導光部３２は、四角柱状に形成されており、出射端面３２ｏと、周面３２ｒとを有する。出射端面３２ｏは、赤外線の出射面として使用される面である。周面３２ｒは、出射端面３２ｏに続く面であり、第２の導光部３２内で赤外線を反射させるための面である。
【００２９】
第１の導光部３１及び第２の導光部３２の延びる方向に垂直な断面において、第２の導光部３２の断面積は、第１の導光部３１の断面積よりも小さい。第２の導光部３２は、第１の導光部３１の入射端面３１ｉから第１の導光部３１の出射端面３１ｏに至る部分の一部に突出して設けられており、第１の導光部３１の入射端面３１ｉよりも、第１の導光部３１の出射端面３１ｏに近い位置に設けられている。出射端面３２ｏの垂直方向は、第１の導光部３１の延びる方向に対して、第１の導光部３１の入射端面３１ｉの垂直方向の側と反対側に傾いている。
【００３０】
このような構成の導光体２５は、第１の導光部３１の入射端面３１ｉが本体ケース２０の前壁２０ａの表面に露出すると共に、第１の導光部３１の出射端面３１ｏ及び第２の導光部３２の出射端面３２ｏが本体ケース２０の内部に位置するように、本体ケース２０に取付けられている。
【００３１】
また、導光体２５は、第１の導光部３１の光軸（出射端面３１ｏの中心を通って、第１の導光部３１の延びる方向に平行な軸）が受光素子２４の受光光軸と一致するように、本体ケース２０に取付けられている。受光素子２４は、本体ケース２０の下壁２０ｂと平行に配置された回路基板２９に実装されており、受光素子２４の受光光軸は、回路基板２９と平行、すなわち、本体ケース２０の下壁２０ｂと平行になっている。つまり、導光体２５は、第１の導光部３１の光軸が本体ケース２０の下壁２０ｂと平行になるように、本体ケース２０に取付けられている。
【００３２】
また、導光体２５は、本体ケース２０の前壁２０ａの傾きに合わせて、第１の導光部３１の入射端面３１ｉが本体ケース２０の前壁２０ａの表面と連続的な面となるように、本体ケース２０に取付けられている。本実施形態では、本体ケース２０の前壁２０ａは、前壁２０ａの表面の垂直方向が下壁２０ｂ側を向くように傾いており、導光体２５は、第１の導光部３１の入射端面３１ｉの垂直方向が下壁２０ｂ側を向くようにして、入射端面３１ｉが前壁２０ａの表面と連続的な面となるように、本体ケース２０に取付けられている。従って、本実施形態では、第１の導光部３１の入射端面３１ｉは、その垂直方向が下壁２０ｂ側を向くように傾いており、また、第２の導光部３２は、第１の導光部３１の周面３１ｒから下壁２０ｂ側（第１の導光部３１の入射端面３１ｉの垂直方向の側）に突出している。
【００３３】
このような構成において、不図示のリモコンから送信された赤外線が導光体２５の（第１の導光部３１の）入射端面３１ｉから導光体２５に入射すると、導光体２５に入射した赤外線は、その入射位置と入射角によって、異なる経路で導光されて、第１の導光部３１の出射端面３１ｏ又は第２の導光部３２の出射端面３２ｏから出射する。
【００３４】
例えば、図中Ｐ１及びＰ２で示す光路で導光体２５に入射した赤外線は、第１の導光部３１の周面３１ｒ及び第２の導光部３２の周面３２ｒで反射することなく、そのまま第１の導光部３１の出射端面３１ｏから出射して、受光素子２４に受光される。また、例えば、図中Ｐ３で示す光路で導光体２５に入射した赤外線は、第１の導光部３１の周面３１ｒで全反射を繰り返して、第１の導光部３１の出射端面３１ｏから出射して、受光素子２４に受光される。また、例えば、図中Ｐ４で示す光路で導光体２５に入射した赤外線は、第１の導光部３１の周面３１ｒ及び第２の導光部３２の周面３２ｒで全反射して、第２の導光部３２の出射端面３２ｏから出射して、受光素子２４に受光される。
【００３５】
このような構成の光ディスク再生装置１によれば、導光体２５の第１の導光部３１から突出する第２の導光部３２が、導光体２５の入射端面３１ｉの垂直方向の傾きによる方位角の影響を補うように作用する。従って、導光体２５の入射端面３１ｉの垂直方向の傾きによる方位角の影響を受け難くして、赤外線の受光性能を向上することができる。これにより、本体ケース２０の前壁２０ａを傾けた様々な意匠の本体ケース２０に適用して、導光体２５の入射端面３１ｉを本体ケース２０の前壁２０ａの表面と連続的な面にした構成において、導光体２５の入射端面３１ｉの垂直方向の傾きによる方位角の影響を受け難くして、赤外線の受光性能を向上することができる。従って、意匠的な自由度に優れた光ディスク再生装置１を実現することができる。
【００３６】
なお、本発明は、上記実施形態の構成に限られず、種々の変形が可能である。例えば、導光体の第１の導光部は、円柱状に限られず、角柱状であってもよい。また、本体ケースの前壁は、前壁の表面の垂直方向が本体ケースの下壁側と反対側を向くように傾いていてもよい。この場合、導光体は、入射端面の垂直方向が本体ケースの下壁側と反対側を向くようにして（第２の導光部が第１の導光部から下壁側と反対側に突出する姿勢となるようにして）、入射端面が前壁の表面と連続的な面となるように、本体ケースに取付ければよい。また、本発明は、光ディスク再生装置に限られず、赤外線を導光体によって導光して、導光体により導光された赤外線を受光素子によって受光する電子機器装置であれば、どのような電子機器装置にも適用可能である。
【符号の説明】
【００３７】
１    光ディスク再生装置（電子機器装置）
２    本体ユニット
３    表示ユニット
４    ヒンジユニット
１０    光ディスク
２０    本体ケース
２０ａ    本体ケースの前壁
２０ｂ    本体ケースの下壁
２１    ディスク室
２２    ディスクカバー
２３    光ディスク読取ユニット
２３ａ    スピンドルモータ
２３ｂ    光ヘッド
２４    受光素子
２５    導光体
２９    回路基板
３１    第１の導光部
３１ｉ    第１の導光部の入射端面
３１ｏ    第１の導光部の出射端面
３１ｒ    第１の導光部の周面
３２    第２の導光部
３２ｏ    第２の導光部の出射端面
３２ｒ    第２の導光部の周面
【図１】
2012004972.tif 000003
【図２】
2012004972.tif 000004